(57)【要約】【課題】  ＡＣアダプタとケーブル（ＡＣコード、  ＤＣケーブル）を一体にまとめるコード巻取り器を提供し、持ち運び及び保管を容易にする。【解決手段】  コードを巻取るためのＸ状に組んだ４枚の板と４個のピン部品、又は２個の枠構造体の結合リブ間にＡＣアダプタを通し２個の枠構造体の組合せを絞りＡＣアダプタを挟み固定する構成で、ＡＣアダプタのケーブル（ＡＣコード、  ＤＣケーブル）を、前記の枠構造体の結合リブの外周と共にＡＣアダプタの回りに巻き付ける様にし、結合リブの外周にあり対向しないように交互で隣同士交互に引っ掛けリブが付いており、結合リブ上に巻いたケーブルを引っ掛ける構造になっており、結合リブ間の長さ、及び上下板の結合リブの長さを前もって設定した長さに固定した上で、更に上下板を絞ることで、幅の広い又は狭い、あるいは厚みの異なるＡＣアダプタに対応した。【選択図】  図１３
2006199482.tif 000002
【特許請求の範囲】
【請求項１】
コードを巻取るためのＸ状に組んだ２組の上下板の結合リブ間にＡＣアダプタを通し、上下板の結合リブを絞り、ＡＣアダプタを挟み固定する構成で、ＡＣアダプタのケーブル（ＡＣコード、ＤＣケーブル）を、前記の上下板の結合リブ部の外周と共にＡＣアダプタの回りに巻き付ける様にした請求項１のコード巻取り器。
【請求項２】
Ｘ状に組んだ２組の上下板の結合リブ間の長さ、及び上下板の結合リブの長さを前もって設定した長さに固定した上で、更に上下板を絞り幅の広い又は狭い、あるいは厚みの異なるＡＣアダプタに対応できる請求項１のコード巻取り器。
【請求項３】
Ｘ状に組んだ２組の上下板の結合リブの外周にあり、上下板で対向しないように交互で隣同士交互に引っ掛けリブが付いており、結合リブ上に巻いたケーブルを引っ掛ける構造になっている請求項１のコード巻取り器。
【請求項４】
Ｘ状に組んだ２組の上下板を繋ぐ結合リブが２種類のフック部分で構成する請求項１のコード巻取り器。
【請求項５】
Ｘ状に組んだ２組の上下板が棒状で、上下に２組で組んだ請求項１のコード巻取り器。
【請求項６】
コードを巻取るためのＸ状に組んだ２個の枠構造体の結合リブ間にＡＣアダプタを通し２個の枠構造体の組合せを絞りＡＣアダプタを挟み固定する構成で、ＡＣアダプタのケーブル（ＡＣコード、ＤＣケーブル）を、前記の枠構造体の結合リブの外周と共にＡＣアダプタの回りに巻き付ける様にし、結合リブの外周にあり対向しないように交互で隣同士交互に引っ掛けリブが付いており、結合リブ上に巻いたケーブルを引っ掛ける構造になっているコード巻取り器。
【発明の詳細な説明】
【技術分野】
【０００１】
本発明は大きさの違うＡＣアダプタにも合わせることのでき、ＡＣアダプタのケーブル（ＡＣコード、ＤＣケーブル）を巻き付けることのできるコード巻取り器に関する。
【背景技術】
【０００２】
従来のコード巻き器には、モジュラーケーブルなどのコードを巻き取って長さを調整するものがある（例えば、特許文献１参照。）。以下、図１６により従来の技術例について説明する。特許文献１では円筒状のコード収納ケースに巻取蓋を回動自在に、かつ着脱自在に嵌合したコード巻き器で一対のコード出入口にコードを通し巻取蓋を廻す事でケーブルを巻き取っている。
【特許文献１】特開２００２−２９６６３号公報
【発明の開示】
【発明が解決しようとする課題】
【０００３】
従来技術では円筒状のコード収納ケース内でケーブルを折り曲げて巻くため、太いケーブルは巻けず、断線の可能性があった。
【０００４】
そのため、簡単な構成で持ち運びが容易で、ケーブルの太さ、長さが自由に対応でき、特にＡＣアダプタのケーブルは安全性のため一般的に太く傷が付かない構造にする。
【課題を解決するための手段】
【０００５】
本提案では、
・コードを巻取るためのＸ状に組んだ２組の上下板の結合リブ間にＡＣアダプタを通し、上下板の結合リブを絞り、ＡＣアダプタを挟み固定する構成で、ＡＣアダプタのケーブル（ＡＣコード、ＤＣケーブル）を、前記の上下板の結合リブ部の外周と共にＡＣアダプタの回りに巻き付ける様にしたことを特徴とする。
・Ｘ状に組んだ２組の上下板の結合リブ間の長さ、及び上下板の結合リブの長さを前もって設定した長さに固定した上で、更に上下板を絞り幅の広い又は狭い、あるいは厚みの異なるＡＣアダプタに対応したことを特徴とする。
・Ｘ状に組んだ２組の上下板の結合リブの外周にあり、上下板で対向しないように交互で隣同士交互に引っ掛けリブが付いており、結合リブ上に巻いたケーブルを引っ掛ける構造になっていることを特徴とする。
・Ｘ状に組んだ２組の上下板を繋ぐ結合リブが２種類のフック部分で構成することを特徴とする。
・Ｘ状に組んだ２組の上下板が棒状で、上下に２組で組んだことを特徴とする。
・コードを巻取るためのＸ状に組んだ２個の枠構造体の結合リブ間にＡＣアダプタを通し２個の枠構造の組合せを絞りＡＣアダプタを挟み固定する構成で、ＡＣアダプタのケーブル（ＡＣコード、ＤＣケーブル）を、前記の枠構造体の結合リブの外周と共にＡＣアダプタの回りに巻き付ける様にし、結合リブの外周にあり対向しないように交互で隣同士交互に引っ掛けリブが付いており、結合リブ上に巻いたケーブルを引っ掛ける構造になっていることを特徴とする。
【発明の効果】
【０００６】
［特許文献１］では従来技術では円筒状のコード収納ケース内でケーブルを折り曲げて巻くため、太いケーブルは巻けず、断線の可能性があった。
本提案では４枚の板と４個のピン部品、又は２個の枠構造体の簡単な構成で持ち運びが容易で、ケーブルの太さ、長さの異なるコードに対応でき、安全性のため傷が付かない構造にできた。
【０００７】
また、従来技術ではコード収納ケースと機器本体とは別体であるが、本提案ではコード巻取り器とＡＣアダプタを一体にまとめることができた。
【発明を実施するための最良の形態】
【０００８】
（実施例１）
図１は第１の実施の形態におけるコード巻取り器の使用例を示す概略図である。
【０００９】
図１において、１はコード巻取り器、２はＡＣアダプタ、３はＡＣアダプタのＡＣプラグ、４はＡＣアダプタのＤＣプラグ、５はＡＣアダプタのＡＣコードとＤＣケーブルである。
【００１０】
コードを巻取るためのＸ状に組んだコード巻取り器１の２組の上下板の結合リブ間にＡＣアダプタ２を通し、上下板の結合リブを絞り、ＡＣアダプタ２を挟み固定する構成で、ＡＣアダプタのケーブル５（ＡＣコード、ＤＣケーブル）を、前記の上下板の結合リブ部の外周と共にＡＣアダプタの回りに巻き付ける。
【００１１】
ＡＣアダプタ２のＡＣプラグ３とＡＣアダプタ２のＤＣプラグ４の付いたケーブルはコード巻取り器１の引っ掛けリブに引っ掛り解けないようにしてある。
【００１２】
図２はコード巻取り器にＡＣアダプタを通す説明図である。
【００１３】
図２において、コード巻取り器１の２組の上下板の結合リブ間にＡＣアダプタ２を通し、コード巻取り器１をＡＣアダプタ２に取り付けることの示している。
【００１４】
図３はコード巻取り器にＡＣアダプタを固定する説明図である。
【００１５】
図３において、コード巻取り器１の上下板の結合リブを絞り、ＡＣアダプタ２を挟み固定する様子を示している。
【００１６】
この時、上下板の結合リブはＡＣアダプタ２の側面に当り、ＡＣアダプタ２の幅の長さに合わせて開いた状態となる。
【００１７】
図１のように、結合リブの外周と共にＡＣアダプタの回りにＡＣアダプタのケーブル５（ＡＣコード、ＤＣケーブル）を巻くことで、コード巻取り器１とＡＣアダプタ２は固定される。
【００１８】
図４は第１の実施の形態における上下板の最終組立説明図である。
【００１９】
図４において、６は上板、７は下板、８は上板、９は下板、１０は結合リブ、１１−１と１１−２は結合リブ、１２は引っ掛けリブである。
【００２０】
コード巻取り器１の２組の上下板つまり上板６、下板７、上板８、下板９の４枚に固定してある結合リブ１０は結合リブ１１−１と１１−２からなり、結合リブ１１−１と１１−２が結合することでコード巻取り器１は完成する。
【００２１】
Ｘ状に組んだコード巻取り器１の２組の上下板の結合リブ間の長さ、及び上下板の結合リブ１１−１と１１−２の長さを前もって設定した長さに固定した上で、更に上下板を絞り幅の広い又は狭い、あるいは厚みの異なるＡＣアダプタに対応できる。
【００２２】
なお、上板６と下板７、上板８と下板９はそれぞれ回転できるように中心軸で組み合わせてある。
【００２３】
引っ掛けリブ１２は上板６と下板９に固定されており、下板７と上板８には付いていない。
【００２４】
引っ掛けリブ１２はＸ状に組んだ２組の上下板の結合リブの外周にあり、上下板で対向しないように交互で隣同士交互に付いており、結合リブ上に巻いたケーブルを引っ掛ける構造になっている。
【００２５】
図５は第１の実施の形態における上下板の結合リブ説明図１である。
【００２６】
図５において、結合リブ１１−１側の構造は結合リブ１１−１の軸の中心方向に穴と鍵用の横穴があり、結合リブ１１−２側は結合リブ１１−１の軸の中心方向に穴に入る太さの二股の軸形状で、結合リブ１１−１の鍵用の横穴に掛かる様に出っ張った鍵を持つ先端部を有している。
【００２７】
結合リブ１１−２の二股の軸形状は結合リブ１１−１の穴に収縮しながら入り、結合リブ１１−１の鍵用の横穴で、結合リブ１１−２の出っ張った鍵を持つ先端部に引っ掛かり抜けない様に固定される。
【００２８】
図６は第１の実施の形態における上下板の結合リブフック説明図１である。
【００２９】
図６において、結合リブ１１−１側の構造は軸の中心方向に穴があり、結合リブ１１−２側は結合リブ１１−１の軸の中心方向の穴に入る太さの軸形状で、結合リブ１１−１の穴の出口に掛かる様に出っ張った鍵を持つ先端部を有しており、結合リブ１１−２の出っ張った鍵の先端部に引っ掛かり抜けない様に固定される。
【００３０】
図７は第１の実施の形態における上下板の結合リブフック説明図２である。
【００３１】
図７において、結合リブ１１−１側の構造は軸の中心方向に穴があり、結合リブ１１−２側は結合リブ１１−１の軸の中心方向の穴に入る太さの軸形状で、結合リブ１１−１の穴の出口に掛かる様に出っ張った鍵を持つ先端部を有しており、結合リブ１１−２の出っ張った鍵の先端部が結合リブ１１−１の穴の出口を出て、穴に入る時に潰れた鍵が開き穴に引っ掛かり抜けない様に固定される。
【００３２】
図８は第１の実施の形態における上下板の部品組立説明図である。
【００３３】
図８において、コード巻取り器１の上下板を４個のピン部品で組立てることを示し、１３はナット、１４はボルト、１５はナット、１６はボルトである。
【００３４】
上板６、下板７、上板８、下板９を上からの順番で配置し、上板６と下板７をナット１３とボルト１４で上板６と下板７が回転できる程度に締める。
【００３５】
ボルト１４は結合リブ１０側、ボルト１６は結合リブ１０側に取り付け、ＡＣアダプタに傷を付けないように配置する。
【００３６】
上板８と下板９をナット１６とボルト１５で上板８と下板９が回転できる程度に締める。
【００３７】
図９は第１の実施の形態におけるコード巻取り器の全部品説明図である。
【００３８】
図９において、コード巻取り器１は４枚の板と４個のピン部品で構成していることを示し、１３はナット、１４はボルト、１５はナット、１６はボルトである。
【００３９】
図１０はコード巻取り器に幅の狭いＡＣアダプタを通す説明図である。
【００４０】
図１０において、１７は幅の狭いＡＣアダプタであり、コード巻取り器１に取り付けていることを示している。
【００４１】
図１１はコード巻取り器に幅の狭いＡＣアダプタを固定する説明図である。
【００４２】
図１１において、幅の狭いＡＣアダプタ１７をコードを巻取るためのＸ状に組んだコード巻取り器１の２組の上下板の結合リブ間に通し、上下板の結合リブを絞り、ＡＣアダプタ１７を挟み固定する構成で、ＡＣアダプタのケーブル（ＡＣコード、ＤＣケーブル）を、前記の上下板の結合リブ部の外周と共にＡＣアダプタの回りに巻き付ける。
【００４３】
図１２はコード巻取り器に幅の太いＡＣアダプタを固定する説明図である。
【００４４】
図１２において、１８は幅の太いＡＣアダプタであり、図１０における幅の狭いＡＣアダプタ１７と同様にコード巻取り器１に取り付け、固定する方法も同様であるが、使用できるＡＣアダプタの幅はコード巻取り器１を一杯に開いた時の結合リブの間隔で決まるが、理想の一つはＡＣアダプタの対し４５度の角度にコード巻取り器１の上下板が開いてなる状態である。
【００４５】
（実施例２）
図１３は第２の実施の形態におけるコード巻取り器の構成を示す概略図である。
【００４６】
図１３において、１９は外枠構造体、２０は内枠構造体であり、もう一つのコード巻取り器１の完成状態で、外枠構造体１９と内枠構造体２０の２個の成型品で構成してある。
【００４７】
外枠構造体１９と内枠構造体２０はカラフルに彩られ華やかさを持たせている。
【００４８】
図１４は第２の実施の形態におけるコード巻取り器の最終組立説明図である。
【００４９】
図１４において、２１は上側軸、２２は上側軸穴、２３は下側軸、２４は下側軸穴である。
【００５０】
外枠構造体１９と内枠構造体２０の２個の成型品であり、外枠構造体１９には上側軸穴２２と下側穴２４があり、内枠構造体２０には上側軸２１と下側軸２３の突起が図１４のように外側に向かって出ている。
【００５１】
図１４中の矢印の様に内枠構造体２０を外枠構造体１９の中を通して、上側軸２１を上側軸穴２２に差込み、下側軸２３を下側軸穴２４に差込むことで、図１３の様に簡単に組立てることができる。
【００５２】
コードを巻取るためのＸ状に組んだ２個の枠構造体の結合リブ間にＡＣアダプタを通し２個の枠構造体の組合せを絞りＡＣアダプタを挟み固定する構成で、ＡＣアダプタのケーブル（ＡＣコード、ＤＣケーブル）を、前記の枠構造体の結合リブの外周と共にＡＣアダプタの回りに巻き付ける様にし、結合リブの外周にあり対向しないように交互で隣同士交互に引っ掛けリブが付いており、結合リブ上に巻いたケーブルを引っ掛ける構造になっている。
【００５３】
（実施例３）
図１５は第３の実施の形態におけるコード巻取り器の最終組立説明図である。
【００５４】
図１５において、２５は外枠棒構造体、２６は内枠棒構造体、２７は上側軸穴、２８は上側軸、２９は下側軸穴、３０は下側軸である。
【００５５】
外枠棒構造体２５と内枠棒構造体２６は、図１４の外枠構造体１９と内枠構造体２０の２個の成型品と同様の関係にあり、２個の成型品である。
【００５６】
上側軸穴２７と上側軸２８、及び下側軸穴２９と下側軸３０は、図１５中の矢印の様に内枠棒構造体２６を外枠棒構造体２５の中を通して、上側軸２８を上側軸穴２７に差込み、下側軸３０を下側軸穴２９に差込むことで、簡単に組立てることができる。
【００５７】
コードを巻取るためのＸ状に組んだ２個の枠構造体の結合リブ間にＡＣアダプタを通し２個の枠構造体の組合せを絞りＡＣアダプタを挟み固定する構成で、ＡＣアダプタのケーブル（ＡＣコード、ＤＣケーブル）を、前記の枠構造体の結合リブの外周と共にＡＣアダプタの回りに巻き付ける様にし、結合リブの外周にあり対向しないように交互で隣同士交互に引っ掛けリブが付いており、結合リブ上に巻いたケーブルを引っ掛ける構造になっている。
【００５８】
第２と３の実施の形態では２個の枠構造体のみで構成でき、それぞれ一回の成型でできるため、第１の実施の形態より非常に生産性がよくなった。
【００５９】
第１の実施の形態では４個の上下板が別々の彩色できるが、第２と３の実施の形態では２種類の彩色になっている。
【図面の簡単な説明】
【００６０】
【図１】第１の実施の形態におけるコード巻取り器の使用例を示す概略図。
【図２】コード巻取り器にＡＣアダプタを通す説明図。
【図３】コード巻取り器にＡＣアダプタを固定する説明図。
【図４】第１の実施の形態における上下板の最終組立説明図。
【図５】第１の実施の形態における上下板の結合リブ説明図１。
【図６】第１の実施の形態における上下板の結合リブフック説明図１。
【図７】第１の実施の形態における上下板の結合リブフック説明図２。
【図８】第１の実施の形態における上下板の部品組立説明図。
【図９】第１の実施の形態におけるコード巻取り器の全部品説明図。
【図１０】コード巻取り器に幅の狭いＡＣアダプタを通す説明図。
【図１１】コード巻取り器に幅の狭いＡＣアダプタを固定する説明図。
【図１２】コード巻取り器に幅の太いＡＣアダプタを固定する説明図。
【図１３】第２の実施の形態におけるコード巻取り器の構成を示す概略図。
【図１４】第２の実施の形態におけるコード巻取り器の最終組立説明図。
【図１５】第３の実施の形態におけるコード巻取り器の最終組立説明図
【図１６】従来例［特許文献１］の図。
【符号の説明】
【００６１】
１  コード巻取り器
２  ＡＣアダプタ
３  ＡＣアダプタのＡＣプラグ
４  ＡＣアダプタのＤＣプラグ
５  ＡＣアダプタのＡＣコードとＤＣケーブル
６  上板
７  下板
８  上板
９  下板
１０  結合リブ
１１−１、１１−２  結合リブ
１２  引っ掛けリブ
１３  ナット
１４  ボルト
１５  ナット
１６  ボルト
１７  幅の狭いＡＣアダプタ
１８  幅の太いＡＣアダプタ
１９  外枠板構造体
２０  内枠板構造体
２１  上側軸
２２  上側軸穴
２３  下側軸
２４  下側軸穴
２５  外枠棒構造体
２６  内枠棒構造体
２７  上側軸穴
２８  上側軸
２９  下側軸穴
３０  下側軸
【図１】
2006199482.tif 000003
【図２】
2006199482.tif 000004
【図３】
2006199482.tif 000005
【図４】
2006199482.tif 000006
【図５】
2006199482.tif 000007
【図６】
2006199482.tif 000008
【図７】
2006199482.tif 000009
【図８】
2006199482.tif 000010
【図９】
2006199482.tif 000011
【図１０】
2006199482.tif 000012
【図１１】
2006199482.tif 000013
【図１２】
2006199482.tif 000014
【図１３】
2006199482.tif 000015
【図１４】
2006199482.tif 000016
【図１５】
2006199482.tif 000017
【図１６】
2006199482.tif 000018